【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
電波を受信し、当該電波からストリームを生成する受信部と、
前記ストリームから番組情報を分離するデマルチプレクス部と、
放送地域毎に、当該放送地域で使用されている物理チャンネルと、当該放送地域に含まれている放送局における電波の送信出力の値とを含む放送地域情報を記憶する記憶部と、
前記受信部及び前記デマルチプレクス部を制御して、前記物理チャンネルを順次選択して前記番組情報を分離することができるか否かを確認するスキャン処理を行う制御部と、を備え、
前記制御部は、
前記放送地域毎に、自装置が存在する可能性の高さを示す在域指数を定める在域指数特定処理部と、
前記放送地域情報を参照し、物理チャンネル毎に、当該物理チャンネルが使用されている放送地域の在域指数及び当該物理チャンネルが使用されている放送地域に含まれる放送局における送信出力の値が大きいほど大きな値となる受信可能指数を定め、当該受信可能指数の最も高い物理チャンネルを特定する受信可能指数特定処理部と、
前記受信可能指数特定処理部で特定された物理チャンネルに対応するストリームを前記受信部に生成させ、前記デマルチプレクス部が、当該ストリームから前記番組情報を分離することができるか否かを確認する情報分離確認処理部と、
前記情報分離確認処理部での確認結果に応じて、自装置が存在する可能性の高い放送地域を特定し、当該特定した放送地域の在域指数を増加させる在域指数更新処理部と、を備えること
を特徴とするデジタル放送受信装置。
【請求項２】
前記受信可能指数特定処理部は、前記物理チャンネルが使用されている放送地域の在域指数に、当該放送地域の送信出力の値が大きいほど大きな値を加算又は乗算した値を合計することで、前記受信可能指数を定めること
を特徴とする請求項１に記載のデジタル放送受信装置。
【請求項３】
前記在域指数更新処理部は、前記情報分離確認処理部での確認結果で、前記番組情報を分離することができないと判断された場合には、前記放送地域情報を参照し、前記受信可能指数特定処理部で選択された物理チャンネルを使用していない放送地域の在域指数を増加させること、又は、前記受信可能指数特定処理部で選択された物理チャンネルを使用している放送地域の在域指数を減少させること
を特徴とする請求項１又は２に記載のデジタル放送受信装置。
【請求項４】
前記在域指数更新処理部は、
前記情報分離確認処理部での確認結果で、前記番組情報を分離することができないと判断され、かつ、前記受信部における前記電波の受信強度が予め定められた閾値以上の場合には、前記放送地域情報を参照し、前記受信可能指数特定処理部で選択された物理チャンネルを使用している放送地域の在域指数を増加させ、
また、前記情報分離確認処理部での確認結果で、前記番組情報を分離することができないと判断され、かつ、前記受信強度が前記予め定められた閾値未満のときには、前記放送地域情報を参照し、前記受信可能指数特定処理部で選択された物理チャンネルを使用していない放送地域の在域指数を増加させること
を特徴とする請求項１又は２に記載のデジタル放送受信装置。
【請求項５】
前記在域指数更新処理部は、前記情報分離確認処理部での確認結果で、前記番組情報を分離することができると判断された場合には、前記番組情報に含まれている地域識別情報から現在地域を特定し、当該特定された現在地域に対応する放送地域の在域指数を増加させること
を特徴とする請求項１から４の何れか一項に記載のデジタル放送受信装置。
【請求項６】
前記記憶部は、放送地域毎に、当該放送地域に隣接する放送地域である隣接地域を示す隣接地域情報をさらに記憶し、
前記在域指数更新処理部は、前記情報分離確認処理部での確認結果で、前記番組情報を分離することができると判断された場合には、前記番組情報に含まれている地域識別情報から現在地域を特定するとともに、前記隣接地域情報を参照することで、当該特定された現在地域に隣接する隣接地域を特定し、当該特定された現在地域及び当該特定された隣接地域に対応する放送地域の在域指数を増加させること、
を特徴とする請求項１から４の何れか一項に記載のデジタル放送受信装置。
【請求項７】
前記在域指数特定処理部は、自装置が存在する可能性のある放送地域を推定現在地域群に含め、
前記在域指数特定処理部は、前記推定現在地域群に含まれる放送地域の在域指数を定め、
前記受信可能指数特定処理部は、物理チャンネル毎に、当該物理チャンネルが使用されている放送地域の内、前記推定現在地域群に含まれる放送地域の在域指数及び送信出力の値に基づいて、前記受信可能指数を定めること
を特徴とする請求項６に記載のデジタル放送受信装置。
【請求項８】
前記在域指数更新処理部は、前記情報分離確認処理部での確認結果で、前記番組情報を分離することができると判断された場合には、前記番組情報に含まれている地域識別情報から現在地域を特定するとともに、前記隣接地域情報を参照することで、当該特定された現在地域に隣接する隣接地域を特定し、前記推定現在地域群から、当該特定された現在地域及び当該特定された隣接地域の何れにも一致しない放送地域を除外すること
を特徴とする請求項７に記載のデジタル放送受信装置。
【請求項９】
前記制御部は、前記情報分離確認処理部が、前記推定現在地域群に含まれる放送地域で使用されている全ての物理チャンネルについて、前記番組情報を分離することができるか否かを確認した場合に前記スキャン処理を終了すること
を特徴とする請求項８に記載のデジタル放送受信装置。
【請求項１０】
前記制御部は、前記情報分離確認処理部が、前記推定現在地域群に含まれる放送地域の内、前記在域指数が最も高い放送地域で使用されている全ての物理チャンネルについて、前記番組情報を分離することができるか否かを確認した場合に前記スキャン処理を終了すること
を特徴とする請求項８に記載のデジタル放送受信装置。
【請求項１１】
電波を受信し、当該電波からストリームを生成する受信過程と、
前記ストリームから番組情報を分離するデマルチプレクス過程と、
物理チャンネルを順次選択して前記番組情報を分離することができるか否かを確認するスキャン処理を行う制御過程と、を有し、
前記制御過程は、
放送地域毎に、自装置が存在する可能性の高さを示す在域指数を定める在域指数特定処理過程と、
放送地域毎に、当該放送地域で使用されている物理チャンネルと、当該放送地域に含まれている放送局における電波の送信出力の値とを前記放送地域毎に含む放送地域情報を参照し、物理チャンネル毎に、当該物理チャンネルが使用されている放送地域の在域指数及び当該物理チャンネルが使用されている放送地域に含まれる放送局における送信出力の値が大きいほど大きな値となる受信可能指数を定め、当該受信可能指数の最も高い物理チャンネルを特定する受信可能指数特定処理過程と、
前記受信可能指数特定処理過程で特定された物理チャンネルに対応するストリームを前記受信過程で生成させ、前記デマルチプレクス過程で当該ストリームから前記番組情報を分離することができるか否かを確認する情報分離確認処理過程と、
前記情報分離確認処理過程での確認結果に応じて、自装置が存在する可能性の高い放送地域を特定し、当該特定した放送地域の在域指数を増加させる在域指数更新処理過程と、を有すること
を特徴とするスキャン方法。